(57)【要約】【課題】複数のゴルフティーを保持し、製造コストを抑えることができ、扱いが容易なゴルフティー保持具を提供することを目的とする。【解決手段】複数のビニールホース９を用いる。ティー５の下端１４を挿入するビニールホース９の一端１３の開口１１に切込み１５を形成する。この切込み１５は、ティー５の挿入に要する力及び保持する力を調整するために、所定の長さでビニールホース９の長手方向へ形成される。ビニールホース９の他端１９の開口２０に予め芯棒２１を挿入する。この芯棒２１は、挿入されるティー５の挿入深さを調整するために所定の長さを有する。そして複数のビニールホース９は、サークル状に、あるいは円錐状にして、一体に束ねられる。【選択図】図１
0003160964.tif 000002
【実用新案登録請求の範囲】
【請求項１】
ゴルフボールを支持する予備のティーを保持する保持具であって、複数のゴムチューブ又はビニールホースと、前記ティーの下端を挿入する前記ゴムチューブ又はビニールホースの一端の開口に、前記挿入に要する力及び前記保持する力を調整するために、前記ゴムチューブ又はビニールホースの長手方向へ形成された切込みと、前記ゴムチューブ又はビニールホースの他端の開口に、前記挿入される前記ティーの挿入深さを調整するために、予め挿入された芯棒と、前記複数のゴムチューブ又はビニールホースをサークル状に、あるいは円錐状に、一体に束ねる結束手段と、を有することを特徴とするゴルフティー保持具。
【考案の詳細な説明】
【技術分野】
【０００１】
この考案は、ゴルフボールを支持するための予備のティーを保持する保持具の構造に関する。
【背景技術】
【０００２】
ティーショットの際に、地面に刺してゴルフボールを支持するティーは、消耗品であり、通常、ゴルファーは複数の予備のティーを所持する。また、種類の異なるティーも所持する。これらの所持は、ポケットの中にティーを複数入れて行なう。このため、自分の打順で、意図するティーを、ポケットの中で探し当てるのに時間がかかるものであった。その為、急いだり、イライラしたりしてスムーズにプレーが進まないこともあった。更には、ポケットの中で、意図するティーを探していて、ティーの尖った先が、デリケートな指先に刺さり、痛い思いをすることもまれではない。
この所持を容易にするために、複数のティーを保持する保持具が提案されている。下記の特許文献１の保持具は、複数のティーを二枚のスポンジの間に挟む構造を有するが、挟まれたティーの下端が露出しているので、この尖った下端でゴルファーが指先を痛めるなどの不具合がある。
これに対して、下記の特許文献２の保持具は、ティーの下端をコイルスプリングに挿入して保持するので、下端の露出が無く、安全である。
【先行技術文献】
【特許文献】
【０００３】
【特許文献１】特開２００７−０４４４７４
【特許文献２】米国公開特許和文抄録２００３／２２２１８９
【考案の概要】
【考案が解決しようとする課題】
【０００４】
しかしながら、ゴルフのティーには、いろいろのゴルフクラブに対応していろいろの異なる長さや太さなどの寸法、さらには異なる材質のティーがある。例えば、ウッドティーやプラスティックティーなどである。保持具は、これらの異なる寸法や材質に対応して、ティーの挿入に要する力や、保持力を適切に保つ必要がある。
【０００５】
ところが、上記の特許文献２の保持具は、ティーの寸法や材質に対応するには、保持を行なうコイルスプリングの径や巻数、材質を変えねばならず、このためコイルスプリングを交換しなければならないため、製造コストが高くなる。
また、多数のティーを保持する際に、多数のコイルスプリングが別個にフラフラと揺れ動き、このためティーを挿入する動作がしにくく、よって扱いが面倒であった。
この考案は、以上の問題点を解決するために、製造コストを抑えることができ、扱いが容易なゴルフティー保持具を提供することを目的とする。
【課題を解決するための手段】
【０００６】
以上の課題を解決するために、この考案は、ゴルフボールを支持する予備のティーを保持する保持具であって、複数のゴムチューブ又はビニールホースと、前記ティーの下端を挿入する前記ゴムチューブ又はビニールホースの一端の開口に、前記挿入に要する力及び前記保持する力を調整するために、前記ゴムチューブ又はビニールホースの長手方向へ形成された切込みと、前記ゴムチューブ又はビニールホースの他端の開口に、前記挿入される前記ティーの挿入深さを調整するために、予め挿入された芯棒と、前記複数のゴムチューブ又はビニールホースをサークル状に、あるいは円錐状に、一体に束ねる結束手段と、を有することを特徴とするゴルフティー保持具である。  
【考案の効果】
【０００７】
この考案によれば、ティーの寸法や材質に対応するには、ビニールホースの切込みの長さや芯棒の長さを調整すればよい。すなわち、ティーの太さが大きいときや滑りの悪い材質のときには、挿入に要する力及び保持する力が大きすぎないよう調整するために、切込みの所定の長さを長くすればよい。また、ティーの長さが長いときには、挿入深さが十分に足りるよう調整するために、芯棒の長さを短くすればよい。
【０００８】
このために、ビニールホース自体の寸法や材質を変える必要がなく、ビニールホースを交換せずに済むので、製造コストが低く抑えられる。
また、複数のビニールホースは一体に束ねられているので、ティーを挿入する際に、コイルスプリングが別個にフラフラと揺れ動くことがなく、挿入する動作がし易く、よって扱いが容易である。
更に、複数のビニールホースをサークル状に束ねることで、保持具全体の姿勢を調整すれば、どのビニールホースに対してもティーを挿入する動作を同じにでき、挿入動作がし易く、よって扱いがより容易である。
【０００９】
また、複数のビニールホースを円錐状に束ねることで、保持具全体の姿勢を調整すれば、円錐状の半径方向に並ぶビニールホース群に対して、どの群に対してもティーを挿入する動作を同じにできる。更に、円錐状の中央部に位置するビニールホースの開口が、いわば迫り出した位置にあり、このため円錐状の周辺部に位置し挿入されたティーが邪魔になりにくく、よって挿入動作がし易く、扱いが容易である。
【図面の簡単な説明】
【００１０】
【図１】この考案の一実施形態にかかるゴルフティー保持具を示すもので（Ａ）はゴルファーが使用している状態を示す全体図、（Ｂ）は（Ａ）のゴルフティー保持具を下から見て説明する斜視図である。
【図２】（Ａ）〜（Ｄ）は実施形態の変形例を示す下から見た斜視図である。
【図３】（Ａ）〜（Ｅ）は実施形態の変形例を示す真下から見た平面図である。
【考案を実施するための形態】
【００１１】
この考案の実施形態を、図１に示す。
図（Ａ）に示すように、ゴルファー１は、この実施形態複数にかかる保持具３に、多数の予備のティー５を挿入して保持し、保持具３を腰ベルト７に吊下げて所持する。
図（Ｂ）に示すように、この保持具３は、ある所定の長さの複数のビニールホース９を使用する。ビニールホース９は、例えば日之出化成株式会社製の透明ホースが使用される。
【００１２】
ビニールホース９の一端１３、すなわち図中の下端１３の開口１１に、ティー５の一端１４すなわち図中の上端１４が挿入される。この挿入が行なわれるビニールホース９の開口１１に、切込み１５が形成される。この切込み１５は、開口１１の縁部１７から、ビニールホース９の長手方向へ、所定の長さ形成される。この長さは、例えばティー５の太さが大きいときや滑りの悪い材質のときには、挿入に要する力及び保持する力が大きすぎないよう、長くすればよい。
【００１３】
ビニールホース９の他端１９、すなわち図中の上端１９の開口２０に、予め所定の長さの芯棒２１が挿入される。この長さは、例えばティー５の長さが長いときには、挿入深さが十分に足りるよう、心短くすればよい。
ゴルフのティー５には、いろいろのゴルフクラブに対応して存在するいろいろの異なる長さや太さなどの寸法のものがある。さらには異なる材質のティー、例えば、ウッドティーやプラスティックティーなどがある。これらに対応するように、いろいろの長さの切込み１５や芯棒２１を使用したビニールホース９を用意する。すなわち対応の異なるいろいろのビニールホース９を用意して、一体に束ねることもできる。
【００１４】
束ねられた複数のビニールホース９は、この実施形態では、一体に円錐状を有する。束ねるための結束手段は、各ビニールホース同士を接着する接着剤と、束ねた周囲を固定するテープ材２３である。
【００１５】
「実施形態の作用効果」
この実施形態によれば、いろいろなティー５の寸法や材質に対応するには、各ビニールホース９の切込み１５の長さや芯棒２１の長さを調整すればよい。すなわち、例えばティー５の太さが大きいときや滑りの悪い材質のときには、挿入に要する力及び保持する力が大きすぎないよう調整するために、切込み１５の長さを長くすればよい。逆に、細く滑り易い材質のときには、切込み１５の長さを短くすればよい。
【００１６】
また、ティー５の長さが長いときには、挿入深さが十分に足りるよう調整するために、芯棒２１の長さを短くすればよい。逆に、ティー５の長さが短いときには、挿入深さが深くならないように、芯棒２１の長さを長くすればよい。
このために、ビニールホース９自体の寸法や材質を変える必要がなく、ビニールホース９を交換せずに済むので、製造コストが低く抑えられる。
【００１７】
また、複数のビニールホース９は一体に束ねられているので、ティー５を挿入する際には、保持具３の一部をつまんで姿勢を固定すれば、従来のコイルスプリングのようにビニールホースが別個にフラフラと揺れ動くことはない。よって、挿入する動作がし易く、扱いが容易である。
また、複数のビニールホース９を円錐状に束ねることで、保持具３全体の姿勢を調整すれば、円錐状の半径方向に並ぶビニールホース群に対して、どの群に対してもティー５を挿入する動作を同じにできる。
すなわち、円錐状の半径方向に並ぶビニールホース群は、放射状に、ビニールホースの似た配置を有する複数群が存在しうる。そして、保持具３をその円錐状の軸芯を中心に回動することで、ある群の円錐状の周辺部２５に位置するビニールホース９に対しての挿入は、他の群の円錐状の周辺部２５に位置するビニールホース９に対しての挿入と、同じ挿入動作になる。また、円錐状の中央部２７に位置するビニールホース９への挿入動作は、各群で、ほぼ同じになる。よって挿入動作がし易く、扱いが容易である。
【００１８】
更に、円錐状の中央部２７に位置するビニールホース９の開口１１が、下方に向かっていわば迫り出した位置にある。このため、この中央部の開口１１に対する挿入動作においては、迫り出しの分だけ、円錐状の周辺部２５に位置し挿入された他のティー５が邪魔になりにくい。また、周辺部２５の開口１１は、もともと、中央部の開口１１ほどには、挿入された他のティー５が邪魔になりにくい。よって、よって挿入動作がし易く、扱いが容易である。
【００１９】
「他の実施形態」
以上の実施形態では、束ねられた複数のビニールホース９の全体形状は図１（Ｂ）の円錐状であったが、他の実施形態では、他の形状でも良い。例えば図２（Ａ）に示すように、ビニールホース９の数がより多く、ビニールホース９の密度の高い円錐状でも良い。
【００２０】
また、図２（Ｂ）に示すように、サークル状でもよい。すなわち、複数のビニールホース９をサークル状に束ねることで、保持具３全体の姿勢を、サークル状の軸芯を中心に回動して調整すれば、どのビニールホース９に対してもティー５を挿入する動作を同じにでき、挿入動作がし易く、よって扱いがより容易である。
【００２１】
また、以上の実施形態では、複数のビニールホース９は互いに直に接着剤で束ねられたが、他の実施形態では、例えば図２（Ｃ）（Ｄ）に示すように、挿入が行なわれるビニールホース９の開口縁部が、他のリング状の円盤を介して、連結されるものとしても良い。
【００２２】
また、他の実施形態では、保持具３を真下から見た図は、図３（Ａ）のように、ビニールホース９の数がより多く、ビニールホース９の密度の高い円錐状でも良い。また、図３（Ｂ）のように、ビニールホース９の数がより多いサークル状でも良いし、図３（Ｃ）のようにビニールホース９の数がより多い４重のサークルを有する円錐状でも良い。また、図３（Ｄ）のように中央部のビニールホース９の密度が少ない円錐状でも良い。また、図３（Ｅ）のように全体的にビニールホース９の密度が少ない３重のサークルを有する円錐状でも良い。
なお、図２及び図３において、切込みと芯棒の表示は省略する。
また、以上の実施形態では、ティーを挿入して保持するのにビニールホースを用いたが、他の実施形態では、ビニールホースではなくゴムチューブを用いることも可能である。
【符号の説明】
【００２３】
１…ゴルファー、３…保持具、５…ティー、７…腰ベルト、９…ビニールホース、１１，２０…開口、１３…一端、１５…切込み、１７…縁部、１９…他端、２１…芯棒、２３…テープ材、２５…周辺部、２７・・中央部。
【図１】
0003160964.tif 000003
【図２】
0003160964.tif 000004
【図３】
0003160964.tif 000005